(57)【要約】【課題】テーラードジャケットを着こなすために重要なフィット感やシルエット感を低減することがないリバーシブル仕立てのジャケット、およびその製造方法を提供することを目的とする。【解決手段】断裁面１１３が、丸編みの毛織物を縮絨加工により布状に圧縮された生地であって、表裏両面に第一装飾面１１１および第二装飾面１１２を備えたダブルフェイス生地１１０が裁ち切りされ、縫合部１５２が、断裁面１１３が並列に縫合される。【選択図】図１
2019044286.tif 000002
【特許請求の範囲】
【請求項１】
リバーシブルで着用できるテーラードジャケットにおいて、
丸編みの毛織物を縮絨加工により布状に圧縮された生地であって、表裏両面に装飾面を備えたダブルフェイス生地が裁ち切りされた断裁面と、
前記断裁面が並列に縫合された縫合部と、
を備えることを特徴とするテーラードジャケット。
【請求項２】
前記丸編みの毛織物は、
ジャージー編みによるジャージー生地であることを特徴とする請求項１記載のテーラードジャケット。
【請求項３】
外側に折り返して設けられる襟部を備え、
前記襟部は、
前記ダブルフェイス生地の一方が表面化した時に、前記襟部の表出した一方の装飾面と前記ダブルフェイス生地の一方の装飾面とが同一となり、
前記ダブルフェイス生地の他方が表面化した時に、前記襟部の表出した他方の装飾面と前記ダブルフェイス生地の他方の装飾面とが同一となるように設けられることを特徴とする請求項１記載のテーラードジャケット。
【請求項４】
上前身頃および下前身頃に設けられるボタン穴と、
前記ボタン穴に対して着脱自在に取り付けられる両面ボタンと、
を備えることを特徴とする請求項１記載のテーラードジャケット。
【請求項５】
前記ダブルフェイスの生地の両面かつ同位置に、各々が同型状の収容袋、
を備えることを特徴とする請求項１記載のテーラードジャケット。
【請求項６】
リバーシブルで着用できるテーラードジャケットの製造方法において、
丸編みの毛織物を縮絨加工により布状に圧縮した生地であって、表裏両面に装飾面を備えたダブルフェイスの生地を裁ち切りする工程と、
前記裁ち切りされた生地を並列に縫合する工程と、
を備えることを特徴とするテーラードジャケットの製造方法。
【発明の詳細な説明】
【技術分野】
【０００１】
本発明は、テーラードジャケット、およびその製造方法に関し、特にリバーシブルで着用できるテーラードジャケット、およびその製造方法に関する。
【背景技術】
【０００２】
従来から、表面と裏面との両面で着用可能なリバーシブル仕立ての衣服が知られている。このような衣服は、表生地と裏生地とが重ねられて、縫い合わされたものが多い。（たとえば、特許文献１参照）。
このようなリバーシブル仕立ての衣服は、表面と裏面とのデザインや色彩などを変化させることで、用途に応じて両面を使い分けることができる。
【先行技術文献】
【特許文献】
【０００３】
【特許文献１】特開２００５−１０６０８公報
【発明の概要】
【発明が解決しようとする課題】
【０００４】
しかし、このような２枚重ねで製造されるリバーシブル仕立ての衣服や、表面と裏面との両面が外側面として着用可能な一枚の生地で作られるリバーシブル仕立ての衣服は、テーラードジャケットのように、しっかりと仕立てられ、オシャレに着こなすテーラードジャケットには不向きであった。
【０００５】
テーラードジャケットとは、襟のあるデザインのジャケットであり、キレイに仕立てられた上着のことである。テーラードジャケットはスーツやブルゾンとは異なり、テーラードジャケット単体で他のアイテム等と組み合わせて着こなすものである。
【０００６】
テーラードジャケットを選ぶ際に最も重要なのはフィット感やシルエット感であり、「ジャケットは肩で着る」と言われているほど、テーラードジャケットは肩とのサイズ感がとても重要である。
【０００７】
テーラードジャケットには様々なデザインがあるが、近年では肩幅にぴったりフィットするシルエットが主流である。具体的には、テーラードジャケットを着用した際に、背中にしわの寄らないジャストサイズが好まれる傾向がある。このようにテーラードジャケットをオシャレに着こなすには、フィット感やシルエット感が重要になってくる。
【０００８】
ところが、このフィット感やシルエット感が重要なテーラードジャケットを、リバーシブルで着用可能に作成すると、以下のような様々な問題が生じる。
具体的には、表生地と裏生地とを重ねてリバーシブル仕立てのテーラードジャケットを作った場合、一方の面を表側にした状態でテーラードジャケットを着ると、他方の面は裏側になる。裏側は表面よりも表面積が小さくなるため、余った生地によりシワが生じたり、型崩れが生じたりしてしまう。
【０００９】
このため他方の面を表側にして着る場合には、この残ったシワが表面となり表面化してしまうため、表面化したシワは、テーラードジャケットをオシャレに着こなすために重要なフィット感やシルエット感を低減させてしまう原因となっていた。
【００１０】
この２枚重ねによるリバーシブル衣類のシワは、作業着やトレーニングウエアのような場合は気にならないが、キレイに仕立てられ、よりフィット感を重要とするテーラードジャケットでは、このシワによりフィット感が低下してしまい、リバーシブル仕様でデザインの多様化が実現できたとしても、シワが表面化されたテーラードジャケットでは、テーラードジャケットをオシャレに着こなすことができなかった。
【００１１】
また表生地と裏生地とを重ねてリバーシブル仕立てのテーラードジャケットを作るため、テーラードジャケットの着用時には、表生地と裏生地とのズレが生じてしまう問題がある。このため内側の生地は着用者の体にフィットするが、外側の生地は内側の生地と位置ずれした状態になってしまい、テーラードジャケットをオシャレに着こなすために重要なフィット感を出すことは難しかった。
【００１２】
また、表生地と裏生地とを重ねてリバーシブル仕立てのテーラードジャケットを作る場合、生地と生地とを縫合する際に縫い代が一方の面に形成され、この縫い代が着用時の不快感を与えたり、審美性を低下させたりする問題があった。
【００１３】
断裁した生地を縫い合わせるには、縫い合わせる分だけ余分な生地が必要となる。この余分な生地を重ね合わせて縫い合わせることで生地同士は縫合されるが、縫い目と断裁した裁ち目との間に縫い代が生じることになる。
【００１４】
この縫い代が残った状態だと、縫い代のない面を表面にして着用する場合は、縫い代が裏面に残るため、フィット感が重要なテーラードジャケットでは着用時での不快感につながってしまう。また縫い代の内面を内側にして着用する場合は、着用時での不快感は低減するが、縫い代が表面化するために審美性が劣ってしまう問題があった。
【００１５】
この審美性を悪くしてしまう縫い代を、縫い代を内側に折りたたむことで縫い代をキレイに処理する方法も考えられる。しかし縫い代を内側に折りたたんでしまうと、折りたたんだ部分が重なって厚くなってしまうため、これもフィット感が重要なテーラードジャケットでは着用時での不快感につながってしまう。
【００１６】
また縫い代を折りたたんでキレイに処理するということは、折りたためる生地を使用しなければならない。つまり柔らかい生地を使用しなければ、縫い代をキレイに処理することはできないが、これではテーラードジャケットをシワなく、しっかりと着こなすことはできない。
【００１７】
このように、表面と裏面との両面で着用可能なリバーシブル仕立てのテーラードジャケットにおいて、フィット感やシルエット間を損ねることなく、おしゃれに着こなすことのできるテーラードジャケットを製造することは非常に困難であった。
【００１８】
本発明はこのような点に鑑みてなされたものであり、テーラードジャケットを着こなすために重要なフィット感やシルエット感を低減することがないリバーシブル仕立てのジャケット、およびその製造方法を提供することを目的とする。
【課題を解決するための手段】
【００１９】
本発明では上記問題を解決するために、リバーシブルで着用できるテーラードジャケットにおいて、丸編みの毛織物を縮絨加工により布状に圧縮された生地であって、表裏両面に装飾面を備えたダブルフェイス生地が裁ち切りされた断裁面と、前記断裁面が並列に縫合された縫合部とを備えることを特徴とするテーラードジャケットが提供される。
【００２０】
これにより、断裁面が、丸編みの毛織物を縮絨加工により布状に圧縮された生地であって、表裏両面に装飾面を備えたダブルフェイス生地が裁ち切りされ、縫合部が、断裁面が並列に縫合される。
【００２１】
また、本発明では、リバーシブルで着用できるテーラードジャケットの製造方法において、丸編みの毛織物を縮絨加工により布状に圧縮した生地であって、表裏両面に装飾面を備えたダブルフェイスの生地を裁ち切りする工程と、前記裁ち切りされた生地を並列に縫合する工程とを備えることを特徴とするテーラードジャケットの製造方法が提供される。
【００２２】
これにより、丸編みの毛織物を縮絨加工により布状に圧縮した生地であって、表裏両面に装飾面を備えたダブルフェイスの生地を裁ち切りし、裁ち切りされた生地を並列に縫合する。
【発明の効果】
【００２３】
本発明のテーラードジャケット、およびその製造方法によれば、断裁面が、丸編みの毛織物を縮絨加工により布状に圧縮された生地であって、表裏両面に装飾面を備えたダブルフェイス生地が裁ち切りされ、縫合部が、断裁面が並列に縫合されるので、表裏両面ともシワが残ることなく、かつ表裏両面とも縫い代が表面化されず、テーラードジャケットを着こなすために重要なフィット感やシルエット感を低減することがない。
【図面の簡単な説明】
【００２４】
【図１】本実施の形態に係るテーラードジャケットを示す図である。
【図２】テーラードジャケットを製造するための生地を示す図である。
【図３】裁ち切りされたダブルフェイス生地の縫合方法の一例を示す図である。
【図４】襟部の詳細を示す図である。
【図５】両面ボタンおよびボタン穴の詳細を示す図である。
【図６】前身頃に備えられた収容袋の詳細を示す図である。
【発明を実施するための形態】
【００２５】
以下、本発明の実施の形態を、図面を参照して詳細に説明する。
図１は、本実施の形態に係るテーラードジャケットを示す図である。
図１に示すように、テーラードジャケット１００は、第一装飾面１１１および第二装飾面１１２を表裏両面に備えたダブルフェイス生地１１０によって形成されており、これらの第一装飾面１１１および第二装飾面１１２を、それぞれ表側にして着用することができる。
【００２６】
このようにテーラードジャケット１００は、第一装飾面１１１と第二装飾面１１２とのデザインや色彩などを変化させることで、表面と裏面との両面で着用可能なリバーシブル仕立ての衣類となり、用途に応じて両面を使い分けることができる。
【００２７】
テーラードジャケット１００は、テーラードジャケット１００を着用した際の体の前面
を覆う部分である前身頃１２０のうち、左右から重なり合う部分である上前身頃１２１および下前身頃１２２には複数のボタン穴１３０が備えられている。
【００２８】
なお、テーラードジャケット１００は、第一装飾面１１１を表側にして着用する場合である図１（Ａ）と、第二装飾面１１２を表側にして着用する場合である図１（Ｂ）とがあり、第一装飾面１１１を表側にして着用する場合では、前身頃１２０を合わせた場合、上になる方が上前身頃１２１、下になる方が下前身頃１２２になり、第二装飾面１１２を表側にして着用する場合では、上になる方が上前身頃１２１、下になる方が下前身頃１２２になる。
【００２９】
つまり、第一装飾面１１１を表側にして着用する場合と、第二装飾面１１２を表側にして着用する場合とでは、上前身頃１２１と下前身頃１２２とが入れ替わり逆になる。またテーラードジャケット１００の着用者が男性か女性かによって上前身頃１２１と下前身頃１２２とが入れ替わることもある。
【００３０】
また、上前身頃１２１および下前身頃１２２の合わせ部に設けられるボタン穴１３０には、着脱自在に取り付けられる両面ボタン１４０が備えられ、上前身頃１２１および下前身頃１２２の各々に備えられたボタン穴１３０を合わせて、両面ボタン１４０で上前身頃１２１および下前身頃１２２を留め合わせることができる。ボタン穴１３０および両面ボタン１４０についての詳細は後述する。
【００３１】
さらに、テーラードジャケット１００の前身頃１２０の第一装飾面１１１および第二装飾面１１２には、小物等を入れるために袋状になっている収容袋１５０が備えられている。収容袋１５０についての詳細は後述する。
【００３２】
また、テーラードジャケット１００は、首に当たる部分で外側に折り返して設けられる襟部１６０を備えている。襟部１６０は、第一装飾面１１１を表側にして着用する場合には、折り返して設けられる襟部１６０の表側面が第一装飾面１１１になるように取り付けられ、第二装飾面１１２を表側にして着用する場合には、折り返して設けられる襟部１６０の表側面が第二装飾面１１２になるように取り付けられている。襟部１６０についての詳細は後述する。
【００３３】
図２は、テーラードジャケットを製造するための生地を示す図である。
図２に示すように、ダブルフェイス生地１１０は、第一装飾面１１１および第二装飾面１１２を表裏両面に備えている。
【００３４】
ダブルフェイス生地１１０は、羊毛を原料とした毛織物からなり、その毛織物を螺旋状に連続したループによって筒状の布地を丸編みによって形成し、その布地を切り開いて平面的にしたものを、縮絨加工によりシート状に圧縮した生地である。
【００３５】
この丸編み工程の際に、糸番手や色の異なる糸を使用して編むことで、一枚の生地でありながら、第一装飾面１１１と第二装飾面１１２とが色違いになるように形成することができる。
【００３６】
またダブルフェイスに丸編みされた生地を、特殊な薬品などで湿らせ、圧力や摩擦を加えて収縮させる縮絨加工を施すことで、フエルトのような独特な風合いを備えたダブルフェイス生地１１０を形成することができる。
【００３７】
上記のように、羊毛を丸編みして縮絨加工を施すことで、通常の布とは異なり生地の糸が圧縮されているため、ダブルフェイス生地１１０は断裁しても、裁ち目部分で糸をほつれにくくすることができる。
【００３８】
このためダブルフェイス生地１１０は、裁ち目の始末する必要がなく、ダブルフェイス生地１１０を裁ち切りした、断裁面を付き合わせて並列にダブルフェイス生地１１０同士を縫合することができる。
【００３９】
これにより縫い代を設ける必要がないため平らな状態で縫合することができ、テーラードジャケット１００の第一装飾面１１１または第二装飾面１１２のいずれかに突出した縫い代が表面化することがない。断裁面を付き合わせて並列に縫合することについての詳細は後述する。
【００４０】
また、ダブルフェイス生地１１０を使用してテーラードジャケット１００を製造することで、完全一枚仕立てのリバーシブル仕様のテーラードジャケット１００を製造することができる。このため今まで生地を２重にして製造していたリバーシブル仕様のテーラードジャケットでは解消できなかった内側に生じるシワや型崩れを解消することができる。
【００４１】
これにより、テーラードジャケットをオシャレに着こなすために重要なフィット感やシルエット感を出すことができる。また、テーラードジャケットを着用者の身体にフィットさせても、縫い代がないため不快感を着用者に与えることがない。
【００４２】
図３は、裁ち切りされたダブルフェイス生地の縫合方法の一例を示す図である。
図３に示すように、ダブルフェイス生地１１０は第一装飾面１１１および第二装飾面１１２を表裏両面に備えている。
【００４３】
またダブルフェイス生地１１０は、テーラードジャケット１００を構成するパーツ毎の型紙に沿って裁ち切りされ、縫い代部分を設けることなく形成された断裁面１１３を備えている。
【００４４】
図３では、パーツ毎に裁ち切りしたテーラードジャケット１００の一部を示しており、各パーツをダブルフェイス生地１１０Ａおよびダブルフェイス生地１１０Ｂとし、便宜上、図３における左側をダブルフェイス生地１１０Ａ、右側をダブルフェイス生地１１０Ｂとする。
【００４５】
ダブルフェイス生地１１０Ａおよびダブルフェイス生地１１０Ｂは、互いの断裁面１１３Ａおよび１１３Ｂを突き合わされる縫合線Ｌを挟んで並列され、２本の上糸１１４および上糸１１５と１本の下糸１１６とで縫合される。
【００４６】
上糸１１４はダブルフェイス生地１１０Ａの第一装飾面１１１側でジグザグの縫い目を形成し、上糸１１５はダブルフェイス生地１１０Ｂの第一装飾面１１１側でジグザグの縫い目を形成する。
【００４７】
また下糸１１６は、ダブルフェイス生地１１０Ａおよびダブルフェイス生地１１０Ｂの第二装飾面１１２側で、上糸１１４および上糸１１５の縫い返しのループをくぐりながら縫い目を形成する。
【００４８】
ダブルフェイス生地１１０Ａおよびダブルフェイス生地１１０Ｂの第一装飾面１１１側において、上糸１１４および上糸１１５における縫合線Ｌ側の折り返し地点１１４Ａおよび折り返し地点１１５Ａは、いずれも縫合線Ｌ上に位置し、縫合線Ｌと反対側の折り返し地点１１４Ｂおよび折り返し地点１１５Ｂは、縫合線Ｌと直交する方向に一定の間隔で設けられている。
【００４９】
下糸１１６は、ダブルフェイス生地１１０Ａおよびダブルフェイス生地１１０Ｂの第二装飾面１１２側において、折り返し地点１１４Ａ、１１４Ｂ、１１５Ａ、１１５Ｂを経由し、縫合線Ｌの縫合方向に向かって縫合する。
【００５０】
下糸１１６は、上糸１１４および上糸１１５で形成される縫い返しのループを、折り返し地点１１５Ｂ、１１５Ａ、１１４Ｂ、１１５Ａ、１１５Ｂ、１１４Ａ、１１５Ｂ・・・の順序で繰り返しながら上糸１１４および上糸１１５と結合する。
【００５１】
このためダブルフェイス生地１１０Ａを包囲する上糸１１４と下糸１１６によって断裁面１１３Ａは圧縮され、ダブルフェイス生地１１０Ｂを包囲する上糸１１５と下糸１１６によって断裁面１１３Ｂは圧縮され、下糸１１６が上糸１１４および上糸１１５の縫い返しのループをくぐりながら断裁面１１３Ａと断裁面１１３Ｂとを縫合する。
【００５２】
これにより、ダブルフェイス生地１１０Ａおよびダブルフェイス生地１１０Ｂは、断裁面１１３Ａと断裁面１１３Ｂとを付き合わせて並列に縫合され、突出した縫い代を形成することなく平らな状態でダブルフェイス生地１１０Ａおよびダブルフェイス生地１１０Ｂを縫合することができる。
【００５３】
このようにダブルフェイス生地１１０Ａおよびダブルフェイス生地１１０Ｂを平らな状態で縫合することができるので、突出した縫い代が形成することがない。つまりリバーシブル仕立てのテーラードジャケット１００における、縫い代が内側に突出した際の不快感や、フィット感の喪失を解消することができ、縫い代が内側に突出した際の審美性審美性の低下を解消することができる。
【００５４】
図４は、襟部の詳細を示す図である。
図４に示すように、テーラードジャケット１００は、首に当たる部分で外側に折り返して設けられる襟部１６０を備えている。
【００５５】
襟部１６０は、外側に折り返して設けられるため、前身頃１２０の装飾面が連続した状態でテーラードジャケット１００を製造すると、外側に折り返した襟部１６０の表側面と前身頃１２０の表側面は異なった装飾面が表面化される。これだと襟部１６０のみ異なった装飾面となり統一したデザインでテーラードジャケット１００を形成することができない。
【００５６】
具体的には、第一装飾面１１１を表側にして着用する場合に、前身頃１２０の装飾面が連続した状態で襟部１６０を製造すると、襟部１６０は外側に折り返して設けるため、襟部１６０の第二装飾面１１２が折り返されて表面化されることになる。これでは第一装飾面１１１を表側にして着用しても、襟部１６０のみ第二装飾面１１２が表面化されてしまいデザインに統一感がない。
【００５７】
そこで、襟部１６０を前身頃１２０および後身頃１７０を別々に断裁し、図１４（Ａ）、（Ｂ）に示すように、前身頃１２０および後身頃１７０の装飾面を一方の装飾面が連続するように縫合し、前身頃１２０および後身頃１７０の一方の小食面に対して襟部１６０のみ他方の装飾面が同一面に形成されるように縫合する。
【００５８】
具体的には、図４（Ａ）のように前身頃１２０および後身頃１７０が第一装飾面１１１の場合、同一面に襟部１６０の第二装飾面１１２が連続するように、襟部１６０を前身頃１２０および後身頃１７０に縫合する。
【００５９】
このため図４（Ｂ）のように、前身頃１２０および後身頃１７０の第二装飾面１１２側は、襟部１６０の第一装飾面１１１が前身頃１２０および後身頃１７０の第二装飾面１１２と同一面となるように縫合されることになる。
【００６０】
これにより折り返した襟部１６０は、前身頃１２０および後身頃１７０の装飾面と同じ装飾面が表面化されるので、テーラードジャケット１００の第一装飾面１１１と第二装飾面１１２とを入れ替えて着用しても、統一した装飾面でテーラードジャケット１００を着用することができる。
【００６１】
また前身頃１２０、後身頃１７０、および襟部１６０の縫合は、図３で示したように、付き合わせて並列に縫合することで重なることがないため、襟部１６０をどちらに折り返しても、突出した縫い代が表面化されることがない。
【００６２】
なお図４では、上襟および下襟が連続した襟部１６０を例にして示したが、上襟および下襟を別々に裁ち切りし、付き合わせて並列に縫合した襟部１６０を、前身頃１２０および後身頃１７０に縫合することもできる。
【００６３】
図５は、両面ボタンおよびボタン穴の詳細を示す図である。
図５（Ａ）に示すように、両面ボタン１４０は、２つの片面ボタン１４１と片面ボタン１４１を連結する連結部１４２とを備えている。
【００６４】
両面ボタン１４０は、上前身頃１２１および下前身頃１２２を重ねた厚さを留められる一定の距離を２つの片面ボタン１４１で形成され、２つの片面ボタン１４１の間を糸などで複数回巻き回し、さらに２つの片面ボタン１４１の間を旋回するように複数回巻き回した連結部１４２で連結されている。
【００６５】
また、図５（Ｂ）に示すように、上前身頃１２１および下前身頃１２２の合わせ部には複数のボタン穴１３０が形成される。この上前身頃１２１と下前身頃１２２との両側に形成されたボタン穴１３０を合わせ、２つのボタン穴１３０に両面ボタン１４０を通すことで、上前身頃１２１および下前身頃１２２を連結することができる。
【００６６】
なおボタン穴１３０の径は、適宜設定することができるが、両面ボタン１４０が有する片面ボタン１４１の径と同一にすることで、上前身頃１２１および下前身頃１２２を両面ボタン１４０で連結した後に、ボタン穴１３０から両面ボタン１４０が外れてしまうことを防止することができる。
【００６７】
また、図５（Ｃ）に示すように、第一装飾面１１１を表側にしてテーラードジャケット１００を着用する場合、着用者から見て左側が上前身頃１２１となり、着用者から見て右側が下前身頃１２２となり、両面ボタン１４０によって上前身頃１２１と下前身頃１２２とが留め合わされる。
【００６８】
また、図５（Ｄ）に示すように、第二装飾面１１２を表側にしてテーラードジャケット１００を着用する場合、着用者から見て左側が上前身頃１２１となり、図５（Ｃ）で下前身頃１２２だった部位が上前身頃１２１になる。また、着用者から見て右側が下前身頃１２２となり、図５（Ｃ）で上前身頃１２１だった部位が下前身頃１２２になる。
【００６９】
このようにリバーシブル仕様のテーラードジャケット１００で、表面と裏面とを入れ替えて着用してもボタンの位置が固定されないので、着用の状態によって前身頃１２０を適切な状態で両面ボタン１４０によって留め合わすことができる。
【００７０】
また両面ボタン１４０が備える２つの片面ボタン１４１を、テーラードジャケット１００が備える２つの装飾面である第一装飾面１１１および第二装飾面１１２に合わせた片面ボタン１４１を連結部１４２によって連結することで、テーラードジャケット１００のデザインを多様化することができる。
【００７１】
図６は、前身頃に備えられた収容袋の詳細を示す図である。
図６に示すように、テーラードジャケット１００は、必要に応じて前身頃１２０の所望の位置に収容袋１５０を備えることができる。
【００７２】
収容袋１５０は、収容布１５１を前身頃１２０の表面に上部の一辺を除いて縫い付けた縫合部１５２により袋状にしたものである。
この収容布１５１を前身頃１２０に縫い付ける際は、収容布１５１と前身頃１２０とを糸を使用して縫い合わせるが、このまま前身頃１２０に収容布１５１を縫い付けてしまうと、縫合部１５２の縫い目の糸が前身頃１２０の裏側に露出してしまう。
【００７３】
例えばテーラードジャケット１００の第一装飾面１１１側に収容布１５１を縫い付けた場合、縫合部１５２の縫い目の糸が第二装飾面１１２側に露出することになる。この縫合部１５２の縫い目の糸が第二装飾面１１２側に露出した状態で、テーラードジャケット１００の表面と裏面とを入れ替えて着用すると、今まで第二装飾面１１２側で露出していた縫合部１５２の糸が表側に露出し、審美性を低下させる原因となる。
【００７４】
そこで本発明のテーラードジャケット１００では、第一装飾面１１１と第二装飾面１１２に形成される収容袋１５０の位置および形状を同一にすることで、露出する縫合部１５２を最小限にすることができる。
【００７５】
具体的には、第一装飾面１１１に形成する収容布１５１と、第二装飾面１１２に形成する収容布１５１との形状を同一にし、第一装飾面１１１および第二装飾面１１２に収容布１５１を縫い付ける一を同じにする。
【００７６】
縫い付ける際は、第一装飾面１１１に形成する収容布１５１と、第二装飾面１１２に形成する収容布１５１との位置合わせを行い、仮縫いをすることでダブルフェイス生地１１０に２枚の収容布１５１を同じ位置に固定し、本縫いでダブルフェイス生地１１０に２枚の収容布１５１を縫合し、仮縫いの糸を取り外す。
【００７７】
本縫いは、１度の縫合で２枚の収容布１５１をダブルフェイス生地１１０に縫合してもよいが、第一装飾面１１１側または第二装飾面１１２側どちらか一方側から１枚の収容布１５１をダブルフェイス生地１１０に縫合し、その縫い目に沿って他方側から１枚の収容布１５１をダブルフェイス生地１１０に縫合する。
【００７８】
これにより収容布１５１をダブルフェイス生地１１０に縫合する際の縫い目が１つになり、第一装飾面１１１側から見ても、第二装飾面１１２側から見ても余分な縫い目が露出することがない。
【００７９】
以上のように、丸編みの毛織物を縮絨加工により布状に圧縮した生地であって、表裏両面に装飾面を備えたダブルフェイスの生地を裁ち切りし、裁ち切りされた生地を付き合わせて並列に縫合することで、表裏両面ともシワが残ることなく、かつ表裏両面とも縫い代が表面化されない。
【００８０】
このため、テーラードジャケットを着こなすために重要なフィット感やシルエット感を低減することなく、表面と裏面との両面で着用可能なリバーシブル仕立てのテーラードジャケットを製造することができる。
【符号の説明】
【００８１】
１００  テーラードジャケット
１１０、１１０Ａ、１１０Ｂ  ダブルフェイス生地
１１１  第一装飾面
１１２  第二装飾面
１１３、１１３Ａ、１１３Ｂ  断裁面
１１４、１１５  上糸
１１４Ａ、１１４Ｂ、１１５Ａ、１１５Ｂ  折り返し地点
１１６  下糸
１２０  前身頃
１２１  上前身頃
１２２  下前身頃
１３０  ボタン穴
１４０  両面ボタン
１４１  片面ボタン
１４２  連結部
１５０  収容袋
１５１  収容布
１５２  縫合部
１６０  襟部
１７０  後身頃
Ｌ  縫合線
【図１】
2019044286.tif 000003
【図２】
2019044286.tif 000004
【図３】
2019044286.tif 000005
【図４】
2019044286.tif 000006
【図５】
2019044286.tif 000007
【図６】
2019044286.tif 000008
【手続補正書】
【提出日】平成30年8月21日(2018.8.21)
【手続補正１】
【補正対象書類名】明細書
【補正対象項目名】０００３
【補正方法】変更
【補正の内容】
【０００３】
【特許文献１】特開２００６−２０００５３公報